(57)【要約】      （修正有）【課題】表面シートと裏面シートの間にプラスチック以外の素材の挟み込む部材を固定し、素材の特性を生かしたより付加価値の高いプラスチック製書類収納具を提供する。【解決手段】プラスチック製の表面シート１と裏面シート３の間に、挟み込む部材２を固定したプラスチック製書類収納具において、挟み込む部材２の底部に穴４を形成し、その穴の部分５で表面シートと裏面シートを溶着する。【選択図】図１
0003198135.tif 000002
【実用新案登録請求の範囲】
【請求項１】
プラスチック製の表面シートと裏面シートの間に、挟み込む部材を固定したプラスチック製書類収納具において、挟み込む部材の底部に形成した穴の部分で、表面シートと裏面シートが溶着されていることを特徴とするプラスチック製書類収納具。
【請求項２】
前記挟み込む部材は、紙、布、不織布、薄い金属板、または木素材シートである請求項１に記載のプラスチック製書類収納具。
【請求項３】
前記挟み込む部材に、印刷、抜き加工、折り加工、ミシン目加工、切り込み及びポケット取付け加工のいずれかを施した請求項１または請求項２に記載のプラスチック製書類収納具。
【請求項４】
前記挟み込む部材が、その開口部側底部の一箇所に形成した穴の部分で固定され、可動式となっている請求項１ないし請求項３のいずれかに記載のプラスチック製書類収納具。
【請求項５】
前記表面シートと前記裏面シートのサイズが異なる請求項１ないし請求項４のいずれかに記載のプラスチック製書類収納具。
【考案の詳細な説明】
【技術分野】
【０００１】  本考案は、プラスチック製のシートで形成された書類収納具に関するものである。
【背景技術】
【０００２】  一般に「クリアファイル」「クリアホルダー」等と呼ばれている、重なり合ったプラスチック製のシートの間に書類を挟み込むプラスチック製書類収納具は、事務用品として広く普及している。その中には、表面シートと裏面シートの間に挟み込む部材を固定し、付加価値を高めている製品があり、仕切り用のためのプラスチック製のシートやＯＰＰ製の中袋を挟み込む部材として取り入れている製品が既にある。（特許文献１乃至特許文献３を参照）
【先行技術文献】
【特許文献】
【０００３】
【特許文献１】  実用新案登録第３１４３５０８号
【特許文献２】  実用新案登録第３１８３１１９号
【特許文献３】  実用新案登録第３１５１４５７号
【考案の概要】
【考案が解決しようとする課題】
【０００４】  従来のプラスチック製書類収納具の間に挟み込む部材は、素材がプラスチック製のものに限定されていた。【０００５】  それは、挟み込む部材を固定する際、表面シート、裏面シート、挟み込む部材、これら全てを同時に溶着して固定させるしくみのため、挟み込む部材が溶解しない素材では、充分に溶着できず固定させることができないからである。【０００６】  そのため、使用される素材が限定され、機能性・デザイン性を高めるための方法も限られてしまうという課題があった。
【課題を解決するための手段】
【０００７】  本考案にかかるプラスチック製書類収納具は、プラスチック製の表面シートと裏面シートの間に、挟み込む部材を固定しており、挟み込む部材の底部に形成した穴の部分で、表面シートと裏面シートが溶着されていることを特徴としたプラスチック製書類収納具である。そのため、前記挟み込む部材に、紙、布、不織布、薄い金属板、または木素材シートといった熱や超音波で溶解しない素材を使い、印刷、抜き加工、折り加工、ミシン目加工、切り込み、ポケット取付け加工のいずれかを施すこともできることを特徴とする。また、挟み込む部材が、その開口部側底部の一箇所に形成した穴の部分で固定され、挟み込む部材を可動式としたタイプにすることもできる。さらに、挟み込む部材の用途を活かすために、表面シート、裏面シートのサイズを変えることができることも特徴とする。
【考案の効果】
【０００８】  本考案により、従来のプラスチック製書類収納具に、熱や超音波で溶解しない素材の挟み込む部材を固定させられる。【０００９】  そうすることで、全体の重量を軽くしたり、コストを下げたり、デザインの幅を広げたりといった、素材の特徴を活かした付加価値のある製品を提供できるようになる。
【図面の簡単な説明】
【００１０】
【図１】本考案のプラスチック製書類収納具の第１実施形態の斜視図
【図２】本考案のプラスチック製書類収納具の第１実施形態の溶着部における溶着のしくみを示す部分拡大断面図
【図３】本考案のプラスチック製書類収納具の第１実施形態の底部の拡大平面図
【図４】本考案のプラスチック製書類収納具の第２実施形態の斜視図
【図５】本考案のプラスチック製書類収納具の第３実施形態の斜視図
【図６】本考案のプラスチック製書類収納具に第４実施形態の斜視図
【図７】本考案のプラスチック製書類収納具に第５実施形態の斜視図
【考案を実施するための形態】
【００１１】  以下、本考案の実施形態を図面を参照しながら説明する。図１は、本考案の第１実施形態の斜視図である。
【００１２】  図１の本考案第１実施形態の斜視図は、プラスチック製のシートの表面シート１と裏面シート３の間に、シート状の挟み込む部材２を挟んで固定している。挟み込む部材２はプラスチック以外の素材であり、例えばここでは、挟み込む部材を紙とし、底部に穴４を形成している。その穴４の部分で、表面シート１と裏面シート３が溶着し、溶着部５が形成され、挟み込む部材２も同時に固定される。固定された挟み込む部材２は、仕切りとして書類分類機能を果たし、且つ、デザインの幅を広げることも期待できる。
【００１３】  図２は、溶着のしくみを表したものである。図２のＡで示すように、表面シート１、挟み込む部材２、裏面シート３を、挟み込む部材の穴４が超音波溶着機のホーン６に合うように受台７の上にセットし、図２のＢで、超音波溶着機のホーン６が挟み込む部材の穴４の部分で、表面シート１、裏面シート３に対し矢印方向に加圧して超音波の振動を送り、図２のＣで、超音波機のホーン６が矢印方向へ元の位置に引き上がって、挟み込む部材の穴４の部分で、表面シート１と裏面シート３が溶着し、溶着部５が形成される。
【００１４】  図３は、図１における底部の拡大平面図である。挟み込む部材の穴４の部分で表面シート１と裏面シート３が溶着し、溶着部５を形成している。
【００１５】  図４は、本考案の第２実施形態の斜視図である。図４のＡに示すように、挟み込む部材２の底部に、切り抜き加工がされており、溶着部５にかからないようになっているが、挟み込む部材２の開口部側底部に穴４を形成しており、その穴４の部分でも表面シート１と裏面シート３が溶着して、溶着部５を形成しているので、挟み込む部材２もそれによって固定されている。一箇所のみで固定しているので、図４のＢで示すように、固定部を軸に表面シート１と裏面シート３の間から挟み込む部材２を引き出すことも可能になる。
【００１６】  図５は本考案の第３実施形態の斜視図である。前記、本考案第１実施形態の表面シート１の横幅を裏面シート３より短くし、サイズを変えたものである。挟み込む部材２を切り離し可能な割引券等にした場合に、利用しやすくなる。
【００１７】  図６は、本考案の第４実施形態の斜視図である。前記各実施形態において、挟み込む部材の穴４は円形であるが、利便性・デザイン性の観点から穴の形状・サイズを自由に変えることができ、ここでは、ハート型にしている。図６のＢは、底部の拡大平面図を表す。
【００１８】  図７は、本考案の第５実施形態の斜視図である。前記図６と同様の理由により、ここでは、挟み込む部材の穴４を星型にしている。図７のＢは、底部の拡大平面図を表す。
【００１９】  上記は、本考案の実施形態の例であり、上記実施形態に限定されるものではない。
【符号の説明】
【００２０】  １  表面シート
２  挟み込む部材
３  裏面シート
４  挟み込む部材の穴
５  表面シートと裏面シートの溶着部
６  超音波溶着機のホーン
７  超音波溶着機の受台
【図１】
0003198135.tif 000003
【図２】
0003198135.tif 000004
【図３】
0003198135.tif 000005
【図４】
0003198135.tif 000006
【図５】
0003198135.tif 000007
【図６】
0003198135.tif 000008
【図７】
0003198135.tif 000009